(57)【要約】      （修正有）【課題】降雨時等のセッティングや撮影中の急ぎの場合、容易にカメラ等を一々取り外したり取り付けたりできる。【解決手段】カメラ用防雨カバーセットの支持金具Ａを三脚１のセンターポール２に取り付ける、カバー受けＢ二本の端部輪の部分９をもう一方の支持金具Ａに取り付ける、棟桟Ｃをカバー受けＢの頂部に挟み取り付ける、その上に防雨カバーＤをかぶせその端部をカバー受けＢに巻き込み所処面ファスナー１２で止める。防雨カバーの左右の向きは支持金具Ａのセンターポールへの取り付け部の蝶ナット８をゆるめることで、又上下の向きはカバー受け端部と支持金具の蝶ナット１１をそれぞれゆるめることで任意の位置に固定できる。【選択図】図１
0003111737.tif 000002
【実用新案登録請求の範囲】
【請求項１】
本考案の特徴は、丸い棒状の物（三脚のセンターポール）に挟み込みボルトで締め付けその回りを可動できるようにした支持金具と、二本の（記憶合金、角線）使用で円形その端部に輪ができたカバー受けと、その端部輪の部分を支持金具のもう一方のボルトにはめ込み側面から見て扇形に取り付ける、二本のカバー受けの頂部には（記憶合金、角線）使用で両端に折り返しのついた棟桟を取り付ける、カバー受け二本の上に防水生地でできた防雨カバーを覆いかぶせてその端部をカバー受けに巻き込み所処面ファスナーで止める。以上のように構成されたカメラ用防雨カバーセット。
【考案の詳細な説明】
【技術分野】
【０００１】  本考案は、降雨時等の写真撮影に、雨や雪を防ぐための装置に関するものである。
【背景技術】
【０００２】  従来は、降雨時等の撮影には、傘を片手にもったり、雲台に取り付けた装置が大変な仕掛であったり、カメラと撮影者がすっぽりかぶるレインコート様のものであった。
特許文献      実開  ２００−３８１２４
【考案の開示】
【考案が解決しようとする課題】
【０００３】  雲台に取り付ける装置の場合、撮影者共に完全に覆いの中に入るためには大仕掛けにしなければならない。降雨時等にその都度カメラや装置を一々取り外したり、取り付けたりしなければならない、そのため機材や撮影者を濡らす恐れがある。カメラの縦位置に不向きである。カメラと撮影者がすっぽりかぶるレインコート様のものは撮影者の吐く息でカメラが曇り易いし、移動等に不便である。上述の欠点を解決したい。
【課題を解決するための手段】
【０００４】  本考案は、カメラ用防雨カバーセットの支持金具を三脚のセンターポールに取り付ける、カバー受け（記憶合金、角線）二本を支持金具に取り付ける、棟桟（記憶合金、角線）をカバー受けの頂部に取り付ける、防雨カバー（防水生地）をカバー受け二本の上にかぶせその端部をカバー受けに面ファスナーにて止める。防雨カバーの左右の向きは支持金具のセンターポールへの取り付け部の蝶ナットをゆるめることで、又上下の向きはカバー受け端部と支持金具の蝶ナットをそれぞれゆるめることで任意の位置に固定できる。
カバー受けと棟桟は記憶合金、角線を使用することにより小さく丸めて収納できることで持ち運びにかさばらない。
カメラ側と撮影者の雨具が別々としたこと等で問題を解決した。
【考案の効果】
【０００５】  上述の様に本考案のカメラ用防雨カバーセットを使用することにより、降雨時のセッティングの場合防雨カバーセットを取り付けた後でカメラ等を濡らさずに取り付けられる、撮影中急の雨の場合もカメラはそのままで防雨カバーセットを取り付けられる。
カメラの縦位置横位置でも良い、カメラの回りに空間があるので撮影者の吐くで曇らない。カメラ側と撮影者の雨具は別々のため撮影者の行動等が自由である。
人込みの中での撮影に雨傘等は他人に迷惑がかかり危険ともなるが本考案は全体が丸みで弾力性もありコンパクトであるため安全。
撮影位置の回りも小スペースで移動も容易である。
写真撮影の降雨時降雪時等の他、日よけ用やバードウオッチングの双眼鏡取り付け時等に利用できる。
カバー受け等長物も記憶合金使用とし小さく丸めて収納できるため持ち運びにかさばらない。
【考案を実施するための最良の形態】
【０００６】  カメラ用防雨カバーセットの支持金具は三脚のセンターポールに挟み込み蝶ナットにて締め付ける、次に円形のカバー受け（記憶合金、角線）二本その端部輪の部分を支持金具のもう一方のボルト′にはめ込み蝶ナット′で締め付ける、棟桟（記憶合金、角線）はカバー受け二本の頂部に取り付ける、次に防雨カバー（防水生地）をカバー受け二本の上にかぶせてその端部はカバー受けを巻き込み所処面ファスナーにて止める。
【実施例】
【０００７】  以下添付図面において実施例を説明する。
【図１】
【図２】
の１は三脚、２はセンターポール、３はカメラを取り付ける雲台、４はカメラです。Ａは支持金具、Ｂはカバー受け、Ｃは棟桟，Ｄは防雨カバーです。
まず
【図３】
の支持金具Ａは５がピンになっていて開閉できる、センターポール２に挟み込みボルト６をスライドして７の掻き込み部に引っかけて蝶ナット８にて締め付け取り付ける。
【０００８】  次に
【図１】
【図２】
【図３】
円形のカバー受けＢ二本その端部輪の部分９をもう一方のボルト′１０にはめ込み蝶ナット′１１で締め付ける。カバー受Ｂ二本の頂部には棟桟Ｃを挟み込み取り付ける。
【０００９】
【図１】
【図２】
の防雨カバーＤはカバー受けＢ二本の上にかぶせてその端部はカバー受けＢを巻き込み所処面ファスナー１２で止める。
【図面の簡単な説明】
【００１０】
【図１】  本考案のカメラ用防雨カバーセットを三脚のセンターポールに取り付けた側面図である。
【図２】  同上正面図である。
【図３】  支持金具の説明図である。
【符号の説明】
【００１１】  Ａ  支持金具
Ｂ  カバー受け
Ｃ  棟桟
Ｄ  防雨カバー
１  三脚
２  センターポール
３  雲台
４  カメラ
５  ピン
６  ボルト
７  掻き込み部
８  蝶ナット
９  輪の部分
１０  ボルト′
１１  蝶ナット′
１２  面ファスナー
【図１】
0003111737.tif 000003
【図２】
0003111737.tif 000004
【図３】
0003111737.tif 000005
【手続補正書】
【提出日】平成17年3月18日(2005.3.18)
【手続補正１】
【補正対象書類名】実用新案登録請求の範囲
【補正対象項目名】全文
【補正方法】変更
【補正の内容】
【実用新案登録請求の範囲】
【請求項１】
本考案の特徴は、丸い棒状の物に挟み込みボルトで締め取り付け、その回りを可動出来るようにした支持金具と、二本の円形その端部に輪ができたカバー受けと、その端部輪の部分を支持金具のもう一方のボルトに嵌め込み側面から見て扇形に取り付け、二本のカバー受けの頂部には両端に折り返しのついた棟桟を取り付け、カバー受け二本の上に防水生地でできた防雨カバーを覆いかぶせて、その端部をカバー受けに巻き込み所処面ファスナーで止めることによる一連一体に構成されたカメラ用防雨カバーセット。
【手続補正書】
【提出日】平成17年3月19日(2005.3.19)
【手続補正１】
【補正対象書類名】実用新案登録請求の範囲
【補正対象項目名】全文
【補正方法】変更
【補正の内容】
【実用新案登録請求の範囲】
【請求項１】
本考案の特徴は、丸い棒状の物に挟み込みボルトで締め取り付け、その回りを可動出来るようにした支持金具と、二本の円形その端部に輪ができたカバー受けと、その端部輪の部分を支持金具のもう一方のボルトに嵌め込み側面から見て扇形に取り付け、二本のカバー受けの頂部には両端に折り返しのついた棟桟を取り付け、カバー受け二本の上に防水生地でできた防雨カバーを覆いかぶせて、その端部をカバー受けに巻き込み所処面ファスナーで止めることによる一連一体に構成されたカメラ用防雨カバーセット。